(57)【要約】【課題】器具本体を保持する力を確保できるとともに作業性を向上させた照明器具を提供する。【解決手段】照明器具Ｃは、器具取付具Ａに取付筒１を有するジャックを設け、器具本体Ｂにプラグ５を設けている。プラグ５は先端側に高圧側電極６を有し、高圧側電極６の下方位置には低圧側電極７が配置されている。高圧側電極６及び低圧側電極７には、周方向に沿って突出部６ａ、７ａがそれぞれ突設されている。一方、取付筒１内には、高圧側電極２及び低圧側電極３がそれぞれ高圧側電極６及び低圧側電極７と対応する位置に配置されている。高圧側電極２は、先端側に略く字状に折曲された折曲片２ｂ、２ｂを有し、低圧側電極３は、先端側に略く字状に折曲された折曲片３ｂ、３ｂを有している。そして、プラグ５をジャックに接続すると、高圧側電極６が高圧側電極２に、低圧側電極７が低圧側電極３にそれぞれ嵌合し、器具本体Ｂが器具取付具Ａに取付けられる。【選択図】図１
2008210591.tif 000002
【特許請求の範囲】
【請求項１】
天井に設置された器具取付部と、器具取付部に取着保持される器具本体とを備え、器具取付部又は器具本体の何れか一方に電源の授受を行うための電極を有するプラグを設けるとともに、他方にプラグの電極と電気的に接続される電極を有しプラグが差込接続されるジャックを設け、プラグの差込方向と交差する方向に突出する複数の突出部をプラグに設けるとともに、複数の前記突出部とそれぞれ嵌合する複数の嵌合部をジャックに設けたことを特徴とする照明器具。
【発明の詳細な説明】
【技術分野】
【０００１】
本発明は、天井に施工される照明器具に関するものである。
【背景技術】
【０００２】
従来より、ジャック構造を用いた照明器具があった。この照明器具は、据え置きタイプやテーブル等の家具に一体的に組込まれる照明器具であって、取付状態において給電側の部位で器具本体を下側から支えるタイプのものであった。これらの照明器具に用いられる給電用のジャックは、音響機器に用いられるジャックを流用しているため保持力が弱く、天井に取付けるタイプの照明器具には用いることができなかった。
【０００３】
そこで、保持力を確保するために、取付状態において給電用ソケットに器具本体を螺着させた照明器具が提案されている（例えば特許文献１参照）。この照明器具は、受電用のプラグが設けられた器具本体と、このプラグと嵌合し器具本体側に電源を供給する給電用のジャックが設けられた給電用ソケットとを備え、給電用ソケット側にねじ部が形成され、器具本体側にねじ部と螺合する締着部材が設けられている。この照明器具では、器具本体のプラグを給電用ソケットのジャックに差し込んで嵌合させた後、締着部材をねじ部に螺合させることで、器具本体が給電用ソケットに強固に固定される。
【特許文献１】特開２０００−４８６３０号公報（段落[００１７]−[００２９]、及び、第１図−第４図）
【発明の開示】
【発明が解決しようとする課題】
【０００４】
上述の特許文献１に示した照明器具では、器具本体を給電用ソケットに取付ける際に締着部材をねじ部に螺合させる必要があり、照明器具の数が多い場合には取付作業に手間がかかるという問題があった。
【０００５】
本発明は上記問題点に鑑みて為されたものであり、その目的とするところは、器具本体を保持する力を確保できるとともに作業性を向上させた照明器具を提供することにある。
【課題を解決するための手段】
【０００６】
請求項１の発明は、天井に設置された器具取付部と、器具取付部に取着保持される器具本体とを備え、器具取付部又は器具本体の何れか一方に電源の授受を行うための電極を有するプラグを設けるとともに、他方にプラグの電極と電気的に接続される電極を有しプラグが差込接続されるジャックを設け、プラグの差込方向と交差する方向に突出する複数の突出部をプラグに設けるとともに、複数の突出部とそれぞれ嵌合する複数の嵌合部をジャックに設けたことを特徴とする。
【発明の効果】
【０００７】
請求項１の発明によれば、取付状態においてプラグに設けた複数の突出部を複数の嵌合部でそれぞれ保持することによって、大きな保持力を得ることができ、器具本体を確実に保持することができるという効果がある。
【発明を実施するための最良の形態】
【０００８】
本発明の実施形態を図１〜図４に基づいて説明する。本発明に係る照明器具Ｃは、天井等に取り付けられ、室内等を照らすために用いられる。尚、以下の説明では特に断りがない場合、図１に示す向きにおいて上下左右の方向を規定する。
【０００９】
本発明に係る照明器具Ｃは、天井に設置される器具取付具Ａと、器具取付具Ａに取着保持される器具本体Ｂとで構成される。
【００１０】
まず、器具本体Ｂについて図１に基づいて説明する。器具本体Ｂは光源（図示せず）が配設された灯体１０を備えており、灯体１０の上面には灯体１０を支持するための支持部９が取付けられている。また、支持部９の上面には薄板状のフランジ部８が取付けられ、フランジ部８の上面にはプラグ５が突設されている。
【００１１】
ここで、プラグ５について説明する。プラグ５は、略円柱状に形成され、先端側に高圧側電極６を有しており、高圧側電極６の下側位置には低圧側電極７が配置されている。また、高圧側電極６と低圧側電極７の間には、樹脂製の絶縁部材１１が配設されており、高圧側電極６と低圧側電極７とが絶縁部材１１で絶縁されている。さらに、プラグ５において高圧側電極６と低圧側電極７の境界付近には、凹部２２が設けられている。この高圧側電極６は、外周面と直交する方向に突出し上下方向において中央部から両端側に向けて傾斜する傾斜面を有する突出部６ａが一体に設けられている。また、低圧側電極７の下側部にも凹部２３が全周に渡って形成されており、凹部２３の上側部分が外周面と直交する方向に突出する突出部７ａとなっている。尚、高圧側電極６及び低圧側電極７は、支持部９内に配設された導電部材（図示せず）を介して灯体１０の光源に電気的に接続されている。
【００１２】
次に、器具取付具Ａについて図１に基づいて説明する。器具取付具Ａは、縦長円筒状の取付筒１を備えており、この取付筒１は先端面（下面）がフランジ部４の下面と略面一となるようにフランジ部４に取付けられている。また、取付筒１の内部には、上下方向において高圧側電極２が上側、低圧側電極３が下側となるようにそれぞれ配置され、高圧側電極２はプラグ５の高圧側電極６と対応する位置に、低圧側電極３はプラグ５の低圧側電極７と対応する位置にそれぞれ適宜の取付手段（図示せず）を介して取付けられている。ここに、取付筒１と、高圧側電極２及び低圧側電極３とでプラグ５が挿抜自在に接続されるジャックが構成されている。
【００１３】
ここで、高圧側電極２及び低圧側電極３について説明する。高圧側電極２は、導電性を有する金属（例えば、銅等）製であって、左右方向両端側が斜め下方に折曲された主片２ａを有し、主片２ａの下端側には内側に向かって略く字状に折曲された折曲片２ｂ、２ｂがそれぞれ一体に設けられている。また、低圧側電極３は、導電性を有する金属製であって、両端側が前方に折曲された主片３ａを有し、主片３ａの対向する２片の下端側には内側に向かって略く字状に折曲された折曲片３ｂ、３ｂがそれぞれ一体に設けられている。さらに、折曲片２ｂ、２ｂの間隔は、対応するプラグ５の突出部６ａの幅寸法に応じて決定され、折曲片３ｂ、３ｂの間隔は、対応するプラグ５の突出部７ａの幅寸法に応じて決定されており、折曲片２ｂと折曲片３ｂは上下に並んで配列されている。ここに、折曲片２ｂ、２ｂにより突出部６ａと嵌合する嵌合部が構成され、折曲片３ｂ、３ｂにより突出部７ａと嵌合する嵌合部が構成されている。また、これらの高圧側電極２及び低圧側電極３は、電源供給回路２１にそれぞれ接続されている。尚、ジャックから供給される電源は、光源の電源に応じて直流、交流の何れであってもよく、直流の場合には高圧側電極２、６は＋電極となり、低圧側電極３、７は−電極となる。また、交流の場合には高圧側電極２、６は電圧極となり、低圧側電極３、７は接地極となる。
【００１４】
次に、器具本体Ｂを器具取付具Ａに取付ける手順について説明する。下側からプラグ５をジャック１に差し込むと、高圧側電極６の突出部６ａが高圧側電極３の両折曲片３ｂ、３ｂを左右方向に押し拡げ、さらにプラグ５を押し込むと両折曲片３ｂ、３ｂが突出部６ａを乗り越え、凹部２２に嵌まり元の位置に戻る。続けてプラグ５を押し込むと、低圧側電極７の突出部７ａが両折曲片３ｂ、３ｂを左右方向に押し拡げ、さらにプラグ５を押し込むと、高圧側電極６の突出部６ａが高圧側電極２の両折曲片２ｂ、２ｂを左右方向に押し拡げる。尚、この状態において、両折曲片３ｂ、３ｂは押し拡げられた状態に保持されている。そして、器具本体Ｂのフランジ部８が器具取付具Ａのフランジ部４に当接するまでプラグ５を押し込むと、両折曲片２ｂ、２ｂが突出部６ａを乗り越えて凹部２２に嵌まるとともに、両折曲片３ｂ、３ｂが突出部７ａを乗り越えて凹部２３に嵌り込む。この状態において、高圧側電極６の突出部６ａが高圧側電極２の両折曲片（嵌合部）２ｂ、２ｂに嵌合するとともに、低圧側電極７の突出部７ａが低圧側電極２の両折曲片（嵌合部）３ｂ、３ｂに嵌合し、器具本体Ｂの器具取付具Ａへの取付けが完了する。また、高圧側電極６が高圧側電極２と電気的に接続されるとともに、低圧側電極７が低圧側電極３と電気的に接続され、電源が灯体１０の光源に供給される。
【００１５】
尚、取付筒１の内部に、ジャックに接続されたプラグ５の前後方向の移動を規制する移動規制手段（図示せず）を設けることも好ましく、この移動規制手段によりプラグ５の位置が前後方向において位置決めされるので、プラグ５とジャックとの電気的接続の信頼性が向上する。
【００１６】
この照明器具Ｃでは、高圧側電極６を高圧側電極２に、低圧側電極７を低圧側電極３にそれぞれ嵌合させることによって、大きな保持力を得ることができ、器具本体Ｂを確実に保持することができる。また、プラグ５をジャック１に接続する際に低圧側電極３が先に接触するので、感電の危険性を低減することができる。
【００１７】
尚、ジャック１の高圧側電極２及び低圧側電極３の形状は本実施形態に限定されるものではなく、プラグ５の形状に応じて適宜設計すればよい。
【００１８】
また、本実施形態では、器具取付具Ａにジャックを設け、器具本体Ｂにプラグ５を設けているが、器具取付具Ａにプラグ５を設け、器具本体Ｂにジャックを設けてもよく、好ましくは器具取付具Ａにジャックを設け、器具本体Ｂにプラグ５を設けることで、給電側である器具取付具Ａの電極が露出していないので、感電の危険性を低減することができる。
【００１９】
次に、本実施形態の他の例を図２及び図３に基づいて説明する。この照明器具Ｃは、プラグ５の高圧側電極６及び低圧側電極７をそれぞれジャックの高圧側電極２及び低圧側電極３に嵌合させる構成に加えて、取付筒１の外周面に設けた凹部１ａに器具本体Ｂ側に設けた係止部材１３の係止片１３ａを係止させる構成を備えている。尚、それ以外の構成は図１で説明した照明器具Ｃと同様であるので、同一の構成要素には同一の符号を付して説明は省略する。
【００２０】
器具取付具Ａにおいて、取付筒１は、図２に示すように先端側（下端側）がフランジ部４の下面から突出した状態でフランジ部４に取付けられ、取付筒１の先端側の外周面には全周に渡って凹部１ａが設けられている。
【００２１】
一方、器具本体Ｂにおいてフランジ部８の下面側には、プラグ５をジャックに接続した際にジャックの取付筒１を係止するための係止部１２が設けられている。この係止部１２は、図３に示すようにプラグ５の周りに配設されて取付筒１が内部に挿入される箱体１２ａを有し、箱体１２ａ内の左側には係止レバー１３が軸部１５を介して回動自在に軸支されている。この係止レバー１３の一端側（上側）には、取付筒１の凹部１ａと係止する係止片１３ａが内側に向かって突設され、他端側（下側）には操作片１３ｂが外側に向かって突設されており、操作片１３ｂは箱体１２ａの側部に設けた挿通孔１２ｂを通して外部に露出している。また、係止片１３ａと箱体１２ａの内側面の間にはコイルばね１４が左右方向に伸縮自在に設けられ、係止レバー１３はコイルばね１４により内側に弾性付勢されている。
【００２２】
ここで、係止部１２の動作について説明する。まず、プラグ５をジャックに接続する際に、取付筒１の先端側がフランジ部８に設けた挿通孔８ａを通して箱体１２ａ内に挿入され、取付筒１の先端側が係止片１３ａに当接すると、係止レバー１３がコイルばね１４の付勢力に抗して一旦図３中の左周りに回動する。さらに取付筒１を挿入し係止片１３ａが凹部１ａの位置にくると、係止片１３ａがコイルばね１４からの付勢力により凹部１ａ内に差し込まれて凹部１ａの端面に係止し、器具本体Ｂが器具取付具Ａに取付けられる。
【００２３】
一方、プラグ５をジャックから抜く際には、取付状態から操作片１３ｂを内側に押すと、係止レバー１３がコイルばね１４の付勢力に抗して図３中の左周りに回動し、係止片１３ａと凹部１ａの係止状態が解除され、この状態のまま器具本体Ｂを下側に引っ張ると器具本体Ｂが器具取付具Ａから取り外される。その後、操作片１３ｂから手を離すと、コイルばね１４の付勢力により係止レバー１３が元の位置に戻る。
【００２４】
この照明器具Ｃでは、図１で説明した嵌合構造に加え、係止部材１３の係止片１３ａを取付筒１の凹部１ａに係止させることで、器具本体Ｂを二重の保持構造で保持することができるので、器具取付具Ａに器具本体Ｂをより強固に取付けることができる。
【００２５】
また、図４に示すように、図３の係止レバー１３に代えてボール１７をジャック１の凹部１ａに係止させるように構成してもよい。この照明器具Ｃは、フランジ部８の下面側に上面が開口する箱体１６を取着して形成した係止部２４を備え、この係止部２４には上下方向両端側に貫通する貫通孔が形成されており、支持部９に対して上下方向に移動自在に設けられている。一方、支持部９の上端縁には、係止部２４の上方への移動を規制するためのストッパー部９ａが外向きに全周に渡って突設され、支持部９の上下方向途中位置には、左右方向両側に外向きに突片１８、１８がそれぞれ突設されている。また、上下方向においてストッパー部９ａと各突片１８の間には、ボール１７を内側に露出させるための挿通孔９ｂ、９ｂがそれぞれ設けられ、ボール１７、１７が対応する挿通孔９ｂを臨んでそれぞれ配置されている。さらに、係止部２４の箱体１６内においてフランジ部８の下面と突片１８の間には、コイルばね１９が上下方向に伸縮自在に設けられている。また、箱体１６には、ボール１７を内側に押圧するための傾斜面を有する押圧壁２０が一体に設けられている。
【００２６】
次に、係止部２４の動作について説明する。まず、係止部２４がコイルばね１９に押されて支持部９のストッパー部９ａと当接する位置に移動している状態（図４に示す状態）では、各ボール１７は押圧壁２０によりそれぞれ内側に押圧され、その一部が挿通孔９ｂを通して支持部９内に露出した状態に配置されている。この状態からプラグ５をジャックに接続する際に、取付筒１の先端側が支持部９内に挿入され、取付筒１の先端側が各ボール１７に当接すると、各ボール１７が押圧壁２０の押圧力に抗して一旦外側に移動する。この時、同時に係止部２４がコイルばね１９の付勢力に抗して下方に移動する。さらに取付筒１を挿入し各ボール１７が凹部１ａの位置にくると、コイルばね１９の付勢力により係止部２４が上方に移動するとともに各ボール１７が押圧壁２０によりそれぞれ内側に押圧され凹部１ａの端縁に係止し、器具本体Ｂが器具取付具Ａに取付けられる。
【００２７】
一方、プラグ５をジャックから抜く際には、取付状態からフランジ部８又は箱体１６を下向きに引っ張ると、係止部２４がコイルばね１９の付勢力に抗して下方に移動するとともに押圧壁２０も下方に移動するので、押圧壁２０により各ボール１７に加えられていた押圧力が取除かれてボール１７は外側に移動し、各ボール１７と凹部１ａの係止状態が解除され、器具本体Ｂを下側に引っ張ると器具本体Ｂが器具取付具Ａから取り外される。その後、フランジ部８から手を離すと、コイルばね１９の付勢力により係止部２４がストッパー部９ａに当接する位置まで移動するので、各ボール１７は押圧壁２０の押圧力により内側に押圧され、元の位置に戻る。
【００２８】
この照明器具Ｃでは、図１で説明した嵌合構造に加え、ボール１７をジャック１の凹部１ａに係止させることで、器具本体Ｂを二重の保持構造で保持することができるので、器具取付具Ａに器具本体Ｂをより強固に取付けることができる。
【図面の簡単な説明】
【００２９】
【図１】本実施形態の照明器具の分解図である。
【図２】同上の他の照明器具の分解図である。
【図３】同上の他の照明器具の要部を示す断面図である。
【図４】同上のさらに他の照明器具の要部を示す断面図である。
【符号の説明】
【００３０】
１    ジャック
２    高圧側電極（嵌合部）
３    低圧側電極（嵌合部）
５    プラグ
６    高圧側電極
６ａ  突出部
７    低圧側電極
７ａ  突出部
Ａ    器具取付具（器具取付部）
Ｂ    器具本体
Ｃ    照明器具
【図１】
2008210591.tif 000003
【図２】
2008210591.tif 000004
【図３】
2008210591.tif 000005
【図４】
2008210591.tif 000006